(57)【要約】【課題】視認位置から近い（視認角度が深い）部分と、視認位置から遠い（視認角度が浅い）部分との表示品位の差を低減する。【解決手段】走査信号線を含む液晶パネルと、液晶パネルの表側に配された光学部材（５）と、液晶パネルの裏側に配されたバックライトとを備え、前記走査信号線に沿う方向を左右方向として、前記光学部材は、液晶パネルの左側に対応する領域（ＡＲ１）に第１空隙（９ａ）を含むとともに、液晶パネルの右側に対応する領域（ＡＲ２）に第２空隙（９ｂ）を含み、前記第１空隙（９ａ）の、液晶パネル表面に平行な断面は、右端部よりも左端部の方が細い形状であり、前記第２空隙（９ｂ）の、液晶パネル表面に平行な断面は、左端部よりも右端部の方が細い形状である。【選択図】図３
2017015771.tif 000002
【特許請求の範囲】
【請求項１】
走査信号線を含む液晶パネルと、液晶パネルの表側に配された光学部材と、液晶パネルの裏側に配されたバックライトとを備え、
前記走査信号線に沿う方向を左右方向として、
前記光学部材は、液晶パネルの左側に対応する領域に第１空隙を含むとともに、液晶パネルの右側に対応する領域に第２空隙を含み、
前記第１空隙の、液晶パネル表面に平行な断面は、右端部よりも左端部の方が細い形状であり、
前記第２空隙の、液晶パネル表面に平行な断面は、左端部よりも右端部の方が細い形状である液晶表示装置。
【請求項２】
前記第１および第２空隙それぞれが、液晶パネルから遠い側の端面よりも液晶パネルに近い側の端面が小さいテーパ形状である請求項１記載の液晶表示装置。
【請求項３】
前記光学部材は、前記第１空隙の前記液晶パネルから遠い側の端面に隣接し、かつこの端面に対応する形状の第１遮光材を含むとともに、前記第２空隙の前記液晶パネルから遠い側の端面に隣接し、かつこの端面に対応する形状の第２遮光材を含む請求項２記載の液晶表示装置。
【請求項４】
前記光学部材は、第１空隙と第２空隙とで挟まれた領域に第３空隙を含み、
前記第３空隙の、液晶パネル表面に平行な断面は、左右対称な形状である請求項１記載の液晶表示装置。
【請求項５】
前記光学部材は、第１空隙の左側に第４空隙を含むとともに、第２空隙の右側に第５空隙を含み、
前記第４空隙の、液晶パネル表面に平行な断面は、右端部よりも左端部の方が細い形状であり、
前記第５空隙の、液晶パネル表面に平行な断面は、左端部よりも右端部の方が細い形状であり、
第４空隙は第１空隙よりも左右方向に長く、第５空隙は第２空隙よりも左右方向に長い請求項１記載の液晶表示装置。
【請求項６】
前記第１空隙の、液晶パネル表面に平行な断面は、左右方向に直交する底辺と該底辺よりも左側に位置する頂角とを有する三角形の形状、あるいはこの三角形の各角を丸めた形状であり、
前記第２空隙の、液晶パネル表面に平行な断面は、左右方向に直交する底辺と該底辺よりも右側に位置する頂角とを有する三角形の形状、あるいはこの三角形の各角を丸めた形状である請求項１〜５のいずれか１項に記載の液晶表示装置。
【請求項７】
前記第１および第２遮光材それぞれの面積は、液晶パネルの１画素の面積の１〜１６％である請求項３記載の液晶表示装置。
【請求項８】
前記光学部材の、前記１画素に対応する部分においては、前記第１または第２遮光材が占める面積の割合が１０〜３０％である請求項７記載の液晶表示装置。
【発明の詳細な説明】
【技術分野】
【０００１】
本発明は、液晶表示装置に関する。
【背景技術】
【０００２】
液晶表示装置は視野角特性を有しており、例えば図１２に示すように、画面左端についてはｄ１で示される視野角が最適であり、画面右端についてはｄ２で示される視野角が最適であり、画面中央についてはｄ３で示される視野角が最適となっている。よって、画面中央の前から視認する場合、視認位置Ｐ１から近い（視認角度が深い）画面中央の表示品位が高く、視認位置Ｐ１から遠い（視認角度が浅い）画面左端および画面右端は表示品位が低下する。また、画面右端の前から視認する場合、視認位置Ｐ２から近い画面右端の表示品位が高く、視認位置Ｐ２から遠い画面中央（一般に映像上の重要部分が表示される）は表示品位が低下し、視認位置Ｐ２からさらに遠い画面左端は表示品位がさらに低下することになる。
【０００３】
特許文献１には、微小な黒ドットと黒ドットに対応する空隙とが形成された光制御フィルムを用いて液晶表示装置の視野角を改善する（最適な視野角を広げる）手法が開示されている。
【先行技術文献】
【特許文献】
【０００４】
【特許文献１】国際公開公報ＷＯ２０１３／１５１０３４（公開日：２０１３年１０月１０日）
【発明の概要】
【発明が解決しようとする課題】
【０００５】
特許文献１を含む従来の手法は左右対称に視野角改善を行うものであり、視認位置から近い（視認角度が深い）部分と、視認位置から遠い（視認角度が浅い）部分とに表示品位の差が生じることが不可避であった。このような表示品位の差を低減し、より自然な表示を可能とすることが本発明の目的の１つである。
【課題を解決するための手段】
【０００６】
本液晶表示装置は、走査信号線を含む液晶パネルと、液晶パネルの表側に配された光学部材と、液晶パネルの裏側に配されたバックライトとを備え、前記走査信号線に沿う方向を左右方向として、前記光学部材は、液晶パネル左側に対応する第１領域に第１空隙を含むとともに、液晶パネルの右側に対応する第２領域に第２空隙を含み、前記第１空隙の、液晶パネル表面に平行な断面は、右端部よりも左端部の方が細い形状であり、前記第２空隙の、液晶パネル表面に平行な断面は、左端部よりも右端部の方が細い形状である。
【発明の効果】
【０００７】
本液晶表示装置によれば、前記第１領域に対応する部分は左側から視たときよりも右側から視たときの表示品位が高く、前記第２領域に対応する部分は右側から視たときよりも左側から視たときの表示品位が高い画面を実現することができる。これにより、視認位置から近い（視認角度が深い）部分と、視認位置から遠い（視認角度が浅い）部分との表示品位の差が少ない、より自然な表示が可能となる。
【図面の簡単な説明】
【０００８】
【図１】実施の形態１の液晶表示装置の構成を示す模式図である。
【図２】図１の液晶パネルに含まれるアクティブマトリクス基板の構成を示す模式図である。
【図３】実施の形態１の光学フィルムの横断面を示す模式図である。
【図４】実施の形態１の光学フィルムの斜視図である。
【図５】実施の形態１の液晶表示装置の視野角特性を示す模式図である。
【図６】実施の形態１の光学フィルムの製造方法を示す模式図である。
【図７】実施の形態２の光学フィルムの横断面を示す模式図である。
【図８】図７に示す光学フィルムの変形例を示す模式図である。
【図９】図７に示す光学フィルムの別の変形例を示す模式図である。
【図１０】図７に示す光学フィルムのさらに別の変形例を示す模式図である。
【図１１】実施の形態３の液晶表示装置の構成を示す模式図である。
【図１２】従来の液晶表示装置の視野角特性を示す模式図である。
【発明を実施するための形態】
【０００９】
〔実施の形態１〕
図１は、実施の形態１の液晶表示装置の構成を示す模式図である。図１に示すように、液晶表示装置１０は、視認側から視て、光学フィルム１、第１偏光子２、液晶パネル３、第２偏光子４、およびバックライト５が、この順に積層されてなる。液晶パネル３は、例えば、絵素数が８Ｋ４Ｋ（横：約８０００絵素、縦：約４０００絵素）で、対角が８０インチの大型の液晶パネルである。
【００１０】
液晶パネル３は、第２偏光子４側に配されたアクティブマトリクス基板３ａと、第１偏光子２側に配された対向基板３ｃと、アクティブマトリクス基板３ａおよび対向基板３ｃに挟まれた液晶層３ｂとを有する。
【００１１】
光学フィルム１は、視認側に配されたベースフィルム６上に、黒ドット７と、透明ポリマー８とが形成された構成であり、透明ポリマー８には、黒ドット７に対応する位置に空隙９（空気孔）が形成されている。
【００１２】
図２は、図１の液晶パネルの構成を示す模式図である。図２に示すように、液晶パネルのアクティブマトリクス基板３ａには、データ信号線１５と、走査信号線１６と、補助容量配線１８と、トランジスタ１２と、トランジスタ１２を介してデータ信号線および走査信号線１６に接続された画素電極１７とが設けられており、画素電極１７と補助容量配線１８との間に補助容量３３が形成されている。また、液晶パネル３の対向基板３ｃには図示しない対向電極（共通電極）が形成され、画素電極１７および対向電極並びにこれらに挟まれた液晶層によって１つの画素が構成される。なお、対応色の異なる複数の画素によって１つの絵素が構成される。
【００１３】
図３は、実施の形態１の光学フィルムの横断面（液晶パネル表面に平行な断面）を示す模式図であり、図４は、実施の形態１の光学フィルムの斜視図である。
【００１４】
図３に示すように、液晶パネル３の走査信号線１６（図２参照）に沿う方向を左右方向として、光学フィルム５は、液晶パネル３の左側に対応する第１領域ＡＲ１に第１空隙９ａを含み、液晶パネルの右側に対応する第２領域ＡＲ２に第２空隙９ｂを含み、第１領域ＡＲ１および第２領域ＡＲ２で挟まれた第３領域ＡＲ３に第３空隙９ｃを含む。そして、第１空隙９ａの横断面は、右端部よりも左端部の方が細い形状（右端部よりも左端部の方が、左右方向に直交する方向の幅が小さい形状）であり、第２空隙９ｂの横断面は、左端部よりも右端部の方が細い形状（左端部よりも右端部の方が、左右方向に直交する方向の幅が小さい形状）であり、第３空隙９ｃの横断面は、左右対称な形状である。
【００１５】
より具体的には、図３に示すように、第１空隙９ａの横断面は、左右方向に直交する底辺と該底辺よりも左側に位置する頂角とを有する三角形を丸めた形状であり、第１空隙９ａは、図４（ａ）に示すように、前記底辺に対応する縦曲面（空気と透明ポリマーとの界面）と、前記頂角を挟む２辺に対応する２つの斜め曲面（空気と透明ポリマーとの界面）とを含む。
【００１６】
また、図３に示すように、第２空隙９ｂの横断面は、左右方向に直交する底辺と該底辺よりも右側に位置する頂角とを有する三角形を丸めた形状であり、第２空隙９ｂは、図４（ｂ）に示すように、前記底辺に対応する縦曲面（空気と透明ポリマーとの界面）と、前記頂角を挟む２辺に対応する２つの斜め曲面（空気と透明ポリマーとの界面）とを含む。
【００１７】
また、図３に示すように、第３空隙９ｃの横断面は、左右方向に平行な短軸を有する楕円形状である。
【００１８】
図４（ａ）（ｂ）に示すように、透明ポリマー８に形成された第１および第２空隙９ａ・９ｂそれぞれは、液晶パネル３から遠い側（視認側）の端面よりも液晶パネルに近い側（液晶パネル側）の端面が小さいテーパ形状である。また、ベースフィルム６上に形成された第１黒ドット（遮光材）７ａは、第１空隙９ａの液晶パネルから遠い側（視認側）の端面に隣接し、かつこの端面に対応する形状（左右方向に直交する底辺と該底辺よりも左側に位置する頂角とを有する三角形を丸めた形状）であり、ベースフィルム６上に形成された第２黒ドット（遮光材）７ｂは、第１空隙９ｂの液晶パネルから遠い側（視認側）の端面に隣接し、かつこの端面に対応する形状（左右方向に直交する底辺と該底辺よりも右側に位置する頂角とを有する三角形を丸めた形状）である。
【００１９】
第１および第２空隙９ａ・９ｂの作用については以下のとおりである。すなわち、第１空隙９ａの縦曲面で反射する光は右方向に向けて拡散し、第１空隙９ａの２つの斜め曲面の一方で反射する光は左上方向に向けて拡散し、もう一方で反射する光は左下方向に向けて拡散する。このように斜め曲面では左方向と上方向あるいは下方向とに分散して反射するため、第１空隙９ａによれば、左よりも右に向けて拡散する光を多くする（縦曲面の右側に選択的に光を出力する）ことができる。
【００２０】
一方、第２空隙９ｂの縦曲面で反射する光は左方向に向けて拡散し、第２空隙９ｂの２つの斜め曲面の一方で反射する光は右上方向に向けて拡散し、もう一方で反射する光は右下方向に向けて拡散する。このように斜め曲面では右方向と上方向あるいは下方向とに分散して反射するため、第２空隙９ｂによれば、右よりも左に向けて拡散する光を多くする（縦曲面の左側に選択的に光を出力する）ことができる。
【００２１】
図５は、液晶表示装置１０の視野角特性を端的に示した図である。前記のとおり左右非対称な反射構造の光学フィルム１を用いることで、画面の左端の最適な視野角Ｄ１を図１２と比較して右方向に３０度傾け、画面の右端の最適な視野角Ｄ２を図１２と比較して左方向に３０度傾けることができる。すなわち、図１２における、視認位置Ｐ１からの画面左端、画面中央、および画面右端の視認角度を、５０度、０度、５０度とすると、図５における、視認位置Ｐ１からの画面左端、画面中央、および画面右端の視認角度は、２０度、０度、２０度となる。
【００２２】
また、図１２における、視認位置Ｐ２からの画面左端、画面中央、および画面右端の視認角度を、６５度、５０度、０度とすると、図５における、視認位置Ｐ２からの画面左端、画面中央、および画面右端の視認角度は、３５度、２０度、３０度となる。
【００２３】
以上から、視認位置から近い画面中央（視認角度が深い）部分と、視認位置から遠い画面左端および右端（視認角度が浅い）部分との表示品位の差が、図１２よりもはるかに少ない、より自然な表示が可能となる。
【００２４】
光学フィルム１では、空隙９の視認側に黒ドット７が形成されているため、外光の後方散乱（視認者側への散乱）が大幅に抑制され、従来の散乱フィルム等と比較してコントラストの向上も図ることができる。
【００２５】
光学フィルム１では、第１黒ドット７ａおよび第２黒ドット７ｂそれぞれの面積は、液晶パネル３の１画素面積の１〜１６％としている。この範囲を下回ると、散乱効果が全体の光量に対し不足する場合がありえるし、この範囲を上回ると、各空隙が画素からはみ出したときの誤差が大きくなり、表示が安定しない場合がありえる。
【００２６】
また、液晶パネル３の１画素に対応する第１領域ＡＲ１において第１黒ドット７ａが占める面積割合は、１０〜３０％であり、同様に、液晶パネル３の１画素に対応する第２領域ＡＲ２において第２黒ドット７ｂが占める面積割合は、１０〜３０％である。この範囲を下回ると、散乱効果が不十分となる場合がありえるし、この範囲を上回ると光の利用効率（開口率）の点で不利となえう場合が考えられ、画面が暗くなったり、消費電力が増大したりする場合がありえる。
【００２７】
図３では、第１領域ＡＲ１に属する空隙（第１空隙９ａ含む）すべてを同一方向（左方向）に向けているがこれに限定されない。例えば、第１空隙９ａに隣接する別の空隙を、左方向に対してプラスあるいはマイナス方向に１０度程度傾けてもよい。同様に、第１空隙９ｂに隣接する別の空隙を、右方向に対してプラスあるいはマイナス方向に１０度程度傾けてもよい。こうすれば、特定方向の正反射を抑制することができる。
【００２８】
液晶パネル３の液晶モードは公知のモードでよいが、液晶表示装置１０では、５０度程度の視認角度で良好な表示品位を維持できることが好ましく、ＩＰＳモードや、ＶＡ（垂直配向）の２分割または４分割のマルチドメインモードが好適である。後者の場合は、光学フィルム１で左右方向の視野角を調整するため、左右２分割のマルチドメインモードを用いることができる。
【００２９】
バックライト５には、左右方向の光を中央に集光する集光システムを設けることが望ましい。こうすれば、光学フィルム１の視野角改善効果を左右に集中的に発揮させることができる。集光システムとしては、レンチキュラーレンズが利用しやすく、他にも、縦方向のスリット構造あるいは溝構造をもつような反射シート等を利用することができる。
【００３０】
図６に光学フィルム１の製造方法を示す。図６に示すように、まず、ベースフィルム８にパターンを印刷し、転写およびマスク露光等で黒ドット７を形成する（図６（ａ））。次いで、黒ドット７を含むベースフィルム８上に透明ポリマー６を形成する（図６（ｂ））。次いで、黒ドット７のパターンを用いてセルフ露光を行い（図６（ｃ））、露光されなかった部分をエッチング除去することで空隙９を形成する（図６（ｄ））。完成した光学フィルム１は、図１に示すように、液晶パネル３の表側（視認面側）配された第２偏光子２上に配置（貼り付け）される。
【００３１】
図６（ｃ）のようにセルフ露光を行うことを考慮すると、空隙９の横断面は、三角形の形状あるいは三角形の角を丸めた形状、または三角形と四角形を組み合わせたような、単純な形状が好ましいといえる。
【００３２】
〔実施の形態２〕
図１および図３に示した光学フィルム５は図７のような構成であってもよい。すなわち、第１領域ＡＲ１の左側に位置する第４領域ＡＲ４に第４空隙９ｄを含み、第２領域ＡＲ２の右側に位置する第５領域ＡＲ５に第５空隙９ｅを含み、さらに、第４領域ＡＲ４の左側に位置する第６領域ＡＲ６に第６空隙９ｆを含み、第５領域ＡＲ５の右側に位置する第７領域ＡＲ７に第７空隙９ｇを含む。
【００３３】
ここで、第４空隙９ｄの横断面は、左右方向に直交する底辺と該底辺よりも左側に位置する頂角とを有する三角形を丸めた形状であり、かつ第１空隙９ａの横断面よりも左右方向に長く、第５空隙９ｅの横断面は、左右方向に直交する底辺と該底辺よりも右側に位置する頂角とを有する三角形を丸めた形状であり、かつ第２空隙９ｂの横断面よりも左右方向に長く、第６空隙９ｆの横断面は、左右方向に直交する底辺と該底辺よりも左側に位置する頂角とを有する三角形を丸めた形状であり、かつ第４空隙９ｄの横断面よりも左右方向に長く、第７空隙９ｇの横断面は、左右方向に直交する底辺と該底辺よりも右側に位置する頂角とを有する三角形を丸めた形状であり、かつ第５空隙９ｅの横断面よりも左右方向に長い。なお、第１および第４並びに第６空隙９ａ・９ｄ・９ｆの横断面は、それぞれの右端部が同一の太さ、第２および第５並びに第７空隙９ｂ・９ｅ・９ｇの横断面は、それぞれの左端部が同一の太さとなっている。
【００３４】
このため、第４空隙９ｄは、第１空隙９ａと比較して、上下方向により分散して光を反射し、反射光の右側への偏りが大きくなる。また、第５空隙９ｅは、第２空隙９ｂと比較して、上下方向により分散して光を反射し、反射光の左側への偏りが大きくなる。また、第６空隙９ｆは、第４空隙９ｄと比較して、上下方向により分散して光を反射し、反射光の右側への偏りが大きくなる。また、第７空隙９ｇは、第５空隙９ｅと比較して、上下方向により分散して光を反射し、反射光の左側への偏りが大きくなる。
【００３５】
このように、空隙９の非対称構造を画面の左右位置によって段階的に変化させ、反射光の偏り度合を両端部に近づくにつれて大きくすることで、液晶表示装置１０の視野角特性も段階的に変化し、より自然な表示が可能となる。
【００３６】
〔実施の形態３〕
図７では、第１〜第７空隙９ａ〜９ｇの横断面は、左右方向に直交する底辺と該底辺よりも左側あるいは右側に位置する頂角とを有する三角形を丸めた形状であるがこれに限定されない。
【００３７】
例えば、図８のように、第１〜第７空隙９ａ〜９ｇを、左右方向に直交する底辺と該底辺よりも左側あるいは右側に位置する頂角とを有する三角形の横断面を有する構成とすることもできる。
【００３８】
図８の変形例として、図９のように、第４〜第７空隙９ｄ〜９ｇを、左右方向に直交する底辺と該底辺よりも左側あるいは右側に位置する頂角とを有する三角形の底辺に、左右方向の短辺もつ長方形を繋げた形状の横断面を有する構成とすることもできる。
【００３９】
図８の別の変形例として、図１０のように、第４〜第７空隙９ｄ〜９ｇを、左右方向の長辺をもつ長方形の短辺に、左右方向の短辺をもつ長方形を繋げた形状の横断面を有する構成とすることもできる。
【００４０】
〔実施の形態１〜３について〕
前記各実施の形態の液晶表示装置は図１の構成に限定されない。例えば図１１に示すように、視認側から視て、光学フィルム１、第１偏光子２、第１ネガティブリターダ（位相補償板）２１、ＶＡマルチドメインモードの液晶パネル３、第２ネガティブリターダ（位相補償板）２２、第２偏光子４、およびバックライト５が、この順に積層されてなるような構成でもよい。このように、第１および第２ネガティブリターダ２１・２２を設けることによって位相補償が可能となり、より良好な視野角特性を実現することができる。
【００４１】
〔まとめ〕
本発明の第１態様にかかる液晶表示装置は、走査信号線を含む液晶パネルと、液晶パネルの表側に配された光学部材と、液晶パネルの裏側に配されたバックライトとを備え、前記走査信号線に沿う方向を左右方向として、前記光学部材は、液晶パネルの左側に対応する領域に第１空隙を含むとともに、液晶パネルの右側に対応する領域に第２空隙を含み、前記第１空隙の、液晶パネル表面に平行な断面は、右端部よりも左端部の方が細い形状であり、前記第２空隙の、液晶パネル表面に平行な断面は、左端部よりも右端部の方が細い形状である。
【００４２】
前記構成によれば、前記第１領域に対応する部分は左側から視たときよりも右側から視たときの表示品位が高く、前記第２領域に対応する部分は右側から視たときよりも左側から視たときの表示品位が高い画面を実現することができる。これにより、視認位置から近い（視認角度が深い）部分と、視認位置から遠い（視認角度が浅い）部分との表示品位の差が少ない、より自然な表示が可能となる。
【００４３】
本発明の第２態様にかかる液晶表示装置は、前記第１態様において、前記第１および第２空隙それぞれが、液晶パネルから遠い側の端面よりも液晶パネルに近い側の端面が小さいテーパ形状である構成である。
【００４４】
本発明の第３態様にかかる液晶表示装置は、前記第２態様において、前記光学部材は、前記第１空隙の前記液晶パネルから遠い側の端面に隣接し、かつこの端面に対応する形状の第１遮光材を含むとともに、前記第２空隙の前記液晶パネルから遠い側の端面に隣接し、かつこの端面に対応する形状の第２遮光材を含む構成である。
【００４５】
本発明の第４態様にかかる液晶表示装置は、前記第１態様において、前記光学部材は、第１空隙と第２空隙とで挟まれた領域に第３空隙を含み、前記第３空隙の、液晶パネル表面に平行な断面は、左右対称な形状である構成である。
【００４６】
本発明の第５態様にかかる液晶表示装置は、前記第１態様において、前記光学部材は、第１空隙の左側に第４空隙を含むとともに、第２空隙の右側に第５空隙を含み、前記第４空隙の、液晶パネル表面に平行な断面は、右端部よりも左端部の方が細い形状であり、前記第５空隙の、液晶パネル表面に平行な断面は、左端部よりも右端部の方が細い形状であり、第４空隙は第１空隙よりも左右方向に長く、第５空隙は第２空隙よりも左右方向に長い構成である。
【００４７】
本発明の第６態様にかかる液晶表示装置は、前記第１〜５のいずれかの態様において、前記第１空隙の、液晶パネル表面に平行な断面は、左右方向に直交する底辺と該底辺よりも左側に位置する頂角とを有する三角形の形状、あるいはこの三角形の各角を丸めた形状であり、前記第２空隙の、液晶パネル表面に平行な断面は、左右方向に直交する底辺と該底辺よりも右側に位置する頂角とを有する三角形の形状、あるいはこの三角形の各角を丸めた形状である構成である。
【００４８】
本発明の第７態様にかかる液晶表示装置は、前記第３態様において、前記第１および第２遮光材それぞれの面積は、液晶パネルの１画素の面積の１〜１６％である構成である。
【００４９】
本発明の第８態様にかかる液晶表示装置は、前記第７態様において、前記光学部材の、前記１画素に対応する部分においては、前記第１または第２遮光材が占める面積の割合が１０〜３０％である構成である。
【００５０】
本発明は前記の実施の形態に限定されるものではなく、前記実施の形態を技術常識に基づいて適宜変更したものやそれらを組み合わせて得られるものも本発明の実施の形態に含まれる。
【産業上の利用可能性】
【００５１】
本発明は、例えば、液晶ＴＶや液晶モニタに用いることができる。
【符号の説明】
【００５２】
１  光学フィルム
３  液晶パネル
５  バックライト
６  ベースフィルム
７ａ・７ｂ  黒ドット（遮光材）
８  透明ポリマー
９ａ〜９ｇ  第１〜第７空隙
１０  液晶表示装置
１２  トランジスタ
１５  データ信号線
１６  走査信号線
１７  画素電極
【図１】
2017015771.tif 000003
【図２】
2017015771.tif 000004
【図３】
2017015771.tif 000005
【図４】
2017015771.tif 000006
【図５】
2017015771.tif 000007
【図６】
2017015771.tif 000008
【図７】
2017015771.tif 000009
【図８】
2017015771.tif 000010
【図９】
2017015771.tif 000011
【図１０】
2017015771.tif 000012
【図１１】
2017015771.tif 000013
【図１２】
2017015771.tif 000014